(57)【要約】【課題】 呼出音を非鳴動とする設定をしてもその時の呼び出しが終了したら或いは一定の条件を満たしたら非鳴動状態が自動で解除され、別途解除操作をしなくても呼出音を鳴動する動作に復帰するインターホンシステム、更には簡易な操作で非鳴動に切り替えできる。【解決手段】  居室親機２は、終了ボタン２４の操作で非鳴動モードに移行させることができ、呼出動作中に終了ボタン２４が操作されたら現在の呼出動作が継続している間、或いは設定された一定時間の間は呼出音の鳴動が停止される。親機ＣＰＵ２７は、呼出操作を受けて集合玄関機１のカメラ１３の撮像映像を居室親機２のモニタ２１に出画し、非鳴動モード状態で再度終了ボタン２４の操作を受けたらモニタ２１の映像表示を消画する。【選択図】  図５
2015041983.tif 000002
【特許請求の範囲】
【請求項１】
訪問者が居住者を呼び出して通話する機能を備えたインターホン子機と、前記インターホン子機からの呼び出しに応答する機能を備えたインターホン親機とを有するインターホンシステムにおいて、
前記インターホン親機は、呼出音を停止させる呼出音停止手段と、
呼出動作中に前記呼出音停止手段が操作されたら、呼出音を停止した状態で呼び出しを継続させる非鳴動モードに移行させる呼出制御部とを有し、
前記呼出制御部は、現在の呼び出しに対して呼出状態が終了するまで、前記非鳴動モードを継続させることを特徴とするインターホンシステム。
【請求項２】
訪問者が居住者を呼び出して通話する機能を備えたインターホン子機と、前記インターホン子機からの呼び出しに応答する機能を備えたインターホン親機とを有するインターホンシステムにおいて、
前記インターホン親機は、呼出音を停止させる呼出音停止手段と、
呼出動作中に前記呼出音停止手段が操作されたら、呼出音を停止した状態で呼び出しを継続させる非鳴動モードに移行させる呼出制御部とを有し、
前記呼出制御部は、前記非鳴動モードを１回の呼出操作で継続される呼出状態の時間より長い一定時間継続させ、現在の呼び出しが終了して前記一定の時間内に新たな呼び出しが発生したら、その呼び出しに対しても前記非鳴動モードによる呼び出しを実施し、前記一定時間が経過し、且つ前記呼出動作が終了したら前記非鳴動モードを終了させることを特徴とするインターホンシステム。
【請求項３】
前記呼出制御部は、前記非鳴動モード状態であっても、所定の応答操作が実施されたら、前記インターホン子機との間の通話路形成制御を実施して通話モードに移行させることを特徴とする請求項１又は２記載のインターホンシステム。
【請求項４】
前記呼出制御部は、前記インターホン子機の呼出操作を受けて前記インターホン子機において呼出確認音を鳴動させ、
前記非鳴動モードに移行しても、前記呼出確認音を継続して鳴動させることを特徴とする請求項１乃至３の何れかに記載のインターホンシステム。
【請求項５】
前記呼出制御部は、前記非鳴動モード状態であって、且つ前記非鳴動モードに移行してから所定の時間が経過したら、前記インターホン子機の呼出確認音の音量を下げる制御を実施することを特徴とする請求項４記載のインターホンシステム。
【請求項６】
前記呼出制御部は、前記インターホン子機の呼出操作を受けてから一定時間が経過したら、前記インターホン子機の呼出確認音の音量を下げる制御を実施することを特徴とする請求項４記載のインターホンシステム。
【請求項７】
前記インターホン親機がハンズフリー応答する機能を備えて通話を終了するための終了ボタンを有し、前記終話ボタンが前記呼出音停止手段を兼ねることを特徴とする請求項１乃至６の何れかに記載のインターホンシステム。
【請求項８】
前記インターホン子機が集合住宅に設置される集合玄関機であると共に、前記インターホン親機が、集合住宅の個々の住戸に設置される居室親機であることを特徴とする請求項１乃至７の何れかに記載のインターホンシステム。
【請求項９】
前記呼出制御部は、前記呼出音停止手段の操作を受けて前記非鳴動モードに移行させ、前記非鳴動モードの状態で再度前記呼出音停止手段が操作されたら、呼出動作を終了させることを特徴とする請求項１乃至８の何れかに記載のインターホンシステム。
【請求項１０】
前記インターホン子機は訪問者を撮像するためのカメラを有すると共に、前記インターホン親機は前記カメラの撮像映像を表示するモニタを有し、
前記呼出制御部は、呼出操作を受けて前記カメラの撮像映像を前記モニタに出画させ、前記非鳴動モード状態で再度前記呼出音停止手段の操作を受けたら、前記モニタの表示映像を消画することを特徴とする請求項１乃至９の何れかに記載のインターホンシステム。
【請求項１１】
前記インターホン子機は訪問者を撮像するためのカメラを有すると共に、前記インターホン親機は前記カメラの撮像映像を表示するモニタを有し、
前記呼出制御部は、呼出操作を受けて前記カメラの撮像映像を前記モニタに出画させ、前記非鳴動モードに移行すると前記モニタの表示映像を消画することを特徴とする請求項１乃至９の何れかに記載のインターホンシステム。
【請求項１２】
非鳴動モード状態にあることを表示する呼出音停止表示部を有することを特徴とする請求項１乃至１１の何れかに記載のインターホンシステム。
【請求項１３】
非鳴動モード状態にあることを前記モニタに表示することを特徴とする請求項１０又は１１に記載のインターホンシステム。
【発明の詳細な説明】
【技術分野】
【０００１】
本発明は、訪問者が居住者を呼び出すためのインターホン子機と、この呼び出しを受けて居住者が応答するためのインターホン親機とを備えたインターホンシステムに関し、特にインターホン子機からの呼び出しを受けたインターホン親機の呼出音の鳴動を停止できるインターホンシステムに関する。
【背景技術】
【０００２】
従来より呼出音を停止する機能を備えたインターホンシステムがある。この機能は、夜間等鳴動してほしくない時間帯や、セールス等の応答したくない状況において有効な機能であり、例えば特許文献１ではインターホン親機に呼出音切替スイッチを設け、呼出音量切替スイッチを非鳴動に設定することで、呼出音のない呼出動作を実施可能とした。
【先行技術文献】
【特許文献】
【０００３】
【特許文献１】特表２００２−２４７２１７号公報
【発明の概要】
【発明が解決しようとする課題】
【０００４】
しかしながら、上記特許文献１の場合、非鳴動に設定されたら呼出音切替スイッチにより解除操作が成されるまで非鳴動状態が継続された。そのため、解除したと思い込んでも解除操作していない場合には、居住者は訪問者に気づかなかった。
また、呼び出しが発生してから非鳴動に切り替えることは可能であるものの、呼び出しを受けている状態での切り替えを想定しておらず、簡易なボタン操作とはなっていなかった。
【０００５】
そこで、本発明はこのような問題点に鑑み、呼出音を非鳴動とする設定をしてもその時の呼び出しが終了したら或いは一定の条件を満たしたら非鳴動状態が自動で解除され、別途解除操作をしなくても呼出音を鳴動する動作に復帰するインターホンシステム、更には簡易な操作で非鳴動に切り替えできるインターホンシステムを提供することを目的としている。
【課題を解決するための手段】
【０００６】
上記課題を解決する為に、請求項１の発明は、訪問者が居住者を呼び出して通話する機能を備えたインターホン子機と、インターホン子機からの呼び出しに応答する機能を備えたインターホン親機とを有するインターホンシステムにおいて、インターホン親機は、呼出音を停止させる呼出音停止手段と、呼出動作中に呼出音停止手段が操作されたら、呼出音を停止した状態で呼び出しを継続させる非鳴動モードに移行させる呼出制御部とを有し、呼出制御部は、現在の呼び出しに対して呼出状態が終了するまで、非鳴動モードを継続させることを特徴とする。
この構成によれば、応答したくない呼び出しに対しては、呼出中に呼出音を停止することができ、不意に発生する居住者に対する不快な呼び出しを軽減できる。そして設定された非鳴動モードは現在の呼び出しが終了した時点で呼出音が鳴動する通常呼出モードへ復帰するため、直後に応答する必要のある訪問者があっても良好に対処でき、利便性が良い。
【０００７】
請求項２の発明は、訪問者が居住者を呼び出して通話する機能を備えたインターホン子機と、インターホン子機からの呼び出しに応答する機能を備えたインターホン親機とを有するインターホンシステムにおいて、インターホン親機は、呼出音を停止させる呼出音停止手段と、呼出動作中に呼出音停止手段が操作されたら、呼出音を停止した状態で呼び出しを継続させる非鳴動モードに移行させる呼出制御部とを有し、呼出制御部は、非鳴動モードを１回の呼出操作で継続される呼出状態の時間より長い一定時間継続させ、現在の呼び出しが終了して一定の時間内に新たな呼び出しが発生したら、その呼び出しに対しても非鳴動モードによる呼び出しを実施し、一定時間が経過し、且つ呼出動作が終了したら非鳴動モードを終了させることを特徴とする。
この構成によれば、応答したくない呼び出しに対しては、呼出中に呼出音を停止することができ、不意に発生する居住者に対する不快な呼び出しを軽減できる。そして、非鳴動モードは１回の呼出操作で継続される呼出状態の時間より長い一定時間継続し、且つ一定時間が経過しても、呼出状態が終了するまで継続されるため、応答したくない訪問者のしつこい呼び出しが行われても、一度非鳴動モードとすれば、呼出音は一定時間の間鳴動しないし、呼び出しの途中から呼出音が鳴動してしまうことも無く、居住者は安心して訪問者が立ち去るのを待つことができる。また、時間が経過したら非鳴動モードは解除されるので解除操作するまで非鳴動モードが継続することは無い。
【０００８】
請求項３の発明は、請求項１又は２記載の構成において、呼出制御部は、非鳴動モード状態であっても、所定の応答操作が実施されたら、インターホン子機との間の通話路形成制御を実施して通話モードに移行させることを特徴とする。
この構成によれば、誤操作により呼出音を停止した場合でも、通常の応答操作を実施すれば通話に移行できるため、利便性が良い。
【０００９】
請求項４の発明は、請求項１乃至３の何れかに記載の構成において、呼出制御部は、インターホン子機の呼出操作を受けてインターホン子機において呼出確認音を鳴動させ、非鳴動モードに移行しても、呼出確認音を継続して鳴動させることを特徴とする。
この構成によれば、呼出確認音が継続して鳴動されるため、訪問者に対しては呼び出し状態が継続していること認識させることができ、呼び出しをしているにも関わらず応答が無いことで、居住者が不在であると認識させ易い。
【００１０】
請求項５の発明は、請求項４に記載の構成において、呼出制御部は、非鳴動モード状態であって、且つ非鳴動モードに移行してから所定の時間が経過したら、インターホン子機の呼出確認音の音量を下げる制御を実施することを特徴とする。
この構成によれば、所定の時間経過後の呼出確認音は音量が小さくなるため、訪問者に対しては引き続き呼出中であることを認識させることができるし、継続して呼出確認音が鳴動しても近隣住民に対する不快感を軽減できる。
【００１１】
請求項６の発明は、請求項４に記載の構成において、呼出制御部は、インターホン子機の呼出操作を受けてから一定時間が経過したら、インターホン子機の呼出確認音の音量を下げる制御を実施することを特徴とする。
この構成によれば、非鳴動モードに移行させなくとも、一定の時間が経過したら呼出確認音は音量が小さくなるため、継続して呼出確認音が鳴動しても近隣住民に対する不快感を軽減できる。
【００１２】
請求項７の発明は、請求項１乃至６の何れかに記載の構成において、インターホン親機がハンズフリー応答する機能を備えて通話を終了するための終了ボタンを有し、終話ボタンが呼出音停止手段を兼ねることを特徴とする。
この構成によれば、終了ボタンの操作で呼出音を停止できるため、簡易な操作で非鳴動モードに移行させることができるし、別途呼出音停止ボタンを設ける必要がない。
【００１３】
請求項１０の発明は、請求項１乃至９の何れかに記載の構成において、インターホン子機は訪問者を撮像するためのカメラを有すると共に、インターホン親機はカメラの撮像映像を表示するモニタを有し、呼出制御部は、呼出操作を受けてカメラの撮像映像をモニタに出画させ、非鳴動モード状態で再度呼出音停止手段の操作を受けたら、モニタの表示映像を消画することを特徴とする。
この構成によれば、１回の呼出音停止操作では、映像の表示は継続されるため居住者は訪問者の監視ができ、セキュリティの向上に有効である。また２回の操作で映像も消えるので、居住者は全く呼び出しを意識しなくて済む。
【００１４】
請求項１１の発明は、請求項１乃至９の何れかに記載の構成において、インターホン子機は訪問者を撮像するためのカメラを有すると共に、インターホン親機はカメラの撮像映像を表示するモニタを有し、呼出制御部は、呼出操作を受けてカメラの撮像映像をモニタに出画させ、非鳴動モードに移行するとモニタの表示映像を消画することを特徴とする。
この構成によれば、呼出音停止操作でモニタに表示された映像も消えるので、簡易な操作で呼出音に加えて映像も消える。そのため、居住者は全く呼び出しを意識しなくて済む。
【００１５】
請求項８の発明は、請求項１乃至７の何れかに記載の構成において、インターホン子機が集合住宅に設置される集合玄関機であると共に、インターホン親機が、集合住宅の個々の住戸に設置される居室親機であることを特徴とする。
この構成によれば、集合住宅においては、訪問者を個々の住戸フロアまで通過させることなく、集合玄関での最初の呼び出しから不快な思いをすることなく対処でき、居住者は安心できる。
【００１６】
請求項９の発明は、請求項１乃至８の何れかに記載の構成において、呼出制御部は、呼出音停止手段の操作を受けて非鳴動モードに移行させ、非鳴動モードの状態で再度呼出音停止手段が操作されたら、呼出動作を終了させることを特徴とする。
この構成によれば、２回の呼出音停止手段の操作を受けて呼出動作自体を終了させることができるため、応答したくない呼び出しに対しては完全に無視することができる。
【００１７】
請求項１２の発明は、請求項１乃至１１の何れかに記載の構成において、非鳴動モード状態にあることを表示する呼出音停止表示部を有することを特徴とする。
この構成によれば、呼出音が鳴動しない状態であることを容易に認識できる。
【００１８】
請求項１３の発明は、請求項１０又は１１に記載の構成において、非鳴動モード状態にあることをモニタに表示することを特徴とする。
この構成によれば、呼出音が鳴動しない状態であることを表示する手段を別途設ける必要がない。
【発明の効果】
【００１９】
本発明によれば、応答したくない呼び出しに対しては、呼出中に呼出音を停止することができるため、不意に発生する居住者に対する不快な呼び出しを軽減できる。そして設定された非鳴動モードは呼び出しが終了するまで、或いは一定時間継続され、その後解除されるため、解除操作し忘れる問題を解消できる。また、通話を終了するための終了ボタンの操作で呼出音を停止できるため、簡易な操作で非鳴動モードに移行させることができる。
【図面の簡単な説明】
【００２０】
【図１】本発明に係るインターホンシステムの一例を示す構成図であり、集合住宅に適用した集合住宅インターホンシステムを示している。
【図２】居室親機の回路ブロック図である。
【図３】呼出制御のタイミング図であり、呼出操作が１回のみ実施された場合を示している。
【図４】呼出制御のタイミング図であり、呼出操作が複数回実施された場合を示している。
【図５】呼出制御のタイミング図であり、呼出状態が終了した直後に新たな呼び出しが行われた場合を示している。
【図６】呼出制御のタイミング図であり、応答操作した場合を示している。
【発明を実施するための形態】
【００２１】
以下、本発明を具体化した実施の形態を、図面を参照して詳細に説明する。図１は本発明に係るインターホンシステムの一例を示し、集合住宅インターホンシステムに適用した場合を示している。図１において、１はエントランス等の集合玄関に設置されて訪問者が居住者を呼び出すための集合玄関機（インターホン子機）、２は集合住宅の各住戸に設置されて集合玄関機１からの呼び出しに応答するための居室親機（インターホン親機）、３は管理室に設置されて訪問者や居住者と通話するための管理室親機、４は機器間の通話及び通信を制御する制御機である。
集合玄関機１、管理室親機３はそれぞれ伝送線Ｌ１，Ｌ２により制御機４に接続され、居室親機２は親機幹線Ｌ３により制御機４に接続されている。尚、５は居室親機２を動作させて居住者を呼び出すために各住戸の玄関に設置された玄関子機である。
【００２２】
集合玄関機１は、訪問者が呼出先の住戸を選択する操作部１１、選択した住戸を呼び出す呼出ボタン１２、訪問者を撮像するためのカメラ１３、通話するためのマイク１４及びスピーカ１５等を備えている。
【００２３】
図２は居室親機２の回路ブロック図を示している。図２に示すように、居室親機２は集合玄関機１のカメラ１３が撮像した映像を表示するモニタ２１、モニタ２１に表示する映像を生成する映像回路２２、呼び出しにハンズフリー応答するための通話ボタン２３、通話路を切断して通話を終了させる終了ボタン２４、訪問者と通話するためのマイク２５ａ及びスピーカ２５ｂ、マイク２５ａ及びスピーカ２５ｂを制御する通話回路２５、後述する非鳴動モード状態であることを表示する非鳴動モード表示部２６、居室親機２全体を制御する親機ＣＰＵ２７、制御機４と通信する親機通信ＩＦ２８等を備えている。そして、終了ボタン２４は、呼出音を停止させる呼出音停止ボタンを兼ねており、呼出動作中に操作されると呼出音を停止する呼出音停止手段として作用する。
また、管理室親機３は、集合玄関機１や居室親機２と通話路を形成する操作部３１、通話するハンドセット３２等を備えている。
【００２４】
上記の如く構成された集合住宅インターホンシステムは次のように動作する。以下、図３〜図６のタイミング図を参照して集合玄関機１の呼出動作を中心に説明する。
図３は呼出操作が１回のみ実施された場合を示し、以下具体的に説明する。訪問者により集合玄関機１が操作されて住居が選択されて呼出ボタン１２が押下されたら、選択された居室親機２に呼出信号が送信される（矢印Ｃ１）。
【００２５】
呼出信号は制御機４を介して選択された居室親機２に送信され、呼出信号を受信した居室親機２では呼出音が鳴動する。この呼出状態は、制御機４或いは親機ＣＰＵ２７により所定の呼出時間Ｔ１（例えば６０秒）維持される。この間、居室親機２の通話ボタン２３が操作されると通話モードに移行して通話が可能となる。また、集合玄関機１では、居室親機２の呼出音の鳴動を受けて呼出確認音が鳴動する。
【００２６】
一方、呼出操作を受けて集合玄関機１のカメラ１３が起動し、訪問者の撮像映像が制御機４を介して居室親機２に送信される。この映像信号を受信した居室親機２は、親機ＣＰＵ２７の制御でモニタ２１に受信したカメラ１３の撮像映像を出画する。
【００２７】
居室親機２において呼出音が鳴動すると、居住者はまずモニタ２１で訪問者を確認する。確認した結果、応答する必要のある訪問者であれば通話ボタン２３が押下され、通話モードへ移行する。通話ボタン２３の押下により、制御機４が集合玄関機１と居室親機２との間の通話路を形成し、訪問者と居住者との間で通話が可能となる。
【００２８】
ここで、訪問者をモニタ２１で確認した居住者が応答したくない訪問者であると判断した場合は、終了ボタン２４が押下される（矢印Ｐ１）。通話路を形成していない状態で終了ボタン２４が操作されると、親機ＣＰＵ２７は呼出音停止操作と判断して呼出音を非鳴動とする制御を行う（非鳴動モードに移行する）。同時に、非鳴動モード表示部２６が点灯して非鳴動モードへ移行したことが表示される。この非鳴動モード移行により、呼出状態が継続している間は、その後呼出操作を受けても呼出音の鳴動は無い。
【００２９】
また、呼出音停止操作を受けて、親機ＣＰＵ２７は集合玄関機１に対して非鳴動モード移行信号を送信する。この信号を受信した集合玄関機１は呼出確認音を継続させ、断続的に呼出確認音を鳴動させる。呼出確認音を継続させて鳴動させることにより、居住者が何らかの操作をしたと訪問者が疑う不安を解消できる。
【００３０】
一方、非鳴動モードに移行してもカメラ１３の撮像映像のモニタ２１での出画は継続されるが、再度終了ボタン２４が操作される（矢印Ｐ２）と、この２回目の終了ボタン２４の操作を受けた親機ＣＰＵ２７はモニタ２１の表示映像を消画する。
その後、呼び出しが成されてから所定の呼出時間Ｔ１が経過すると、呼出動作は終了してシステムは待ち受け状態となり、この呼出終了を受けて親機ＣＰＵ２７は非鳴動モードを終了させる。その後、呼び出しを受けたら呼出音を鳴動させる通常呼出モードでの呼び出しが実施される。
【００３１】
このように、応答したくない呼び出しに対しては、呼出中に呼出音を停止することができ、不意に発生する居住者に対する不快な呼び出しを軽減できる。そして設定された非鳴動モードは、現在の呼び出しが終了した時点で呼出音が鳴動する通常呼出モードへ復帰するため、直後に応答する必要のある訪問者があっても良好に対処でき、利便性が良い。
また、１回の終了ボタン２４の操作では、来訪者映像の表示は継続されるため居住者は訪問者の監視ができ、セキュリティの向上に有効であるし、２回の終了ボタン２４の操作で映像が消えるので、居住者は全く呼び出しを意識しなくて済む。
更に、非鳴動モード状態でも呼出確認音は継続して鳴動するため、訪問者に対しては呼び出し状態が継続していること認識させることができ、呼び出しをしているにも関わらず応答が無いことで、居住者が不在であると認識させ易い。また、呼出ボタン１２の操作が繰り返されるのを防止できる。
加えて、通話を終了するための終了ボタン２４が呼出音停止ボタンを兼ねるため、別途呼出音停止ボタンを設ける必要がないし、非鳴動モードに移行すると非鳴動モード表示部２６が点灯するため、呼出音が鳴動しない状態であることを容易に認識できる。
また、集合住宅において集合玄関機１からの呼び出しに対して非鳴動モードにできるため、訪問者を個々の住戸フロアまで通過させることなく、集合玄関での最初の呼び出しから不快な思いをすることなく対処でき、居住者は安心できる。
【００３２】
尚、終了ボタン２４が呼出音停止手段を兼ねているが、呼出音停止は専用のボタンであっても良い。また、終了ボタン２６の２回目の操作でモニタ２１に出画されていた映像を消画させるが、消画させるボタンは別途設けても良い。
【００３３】
次に、呼出操作が数回繰り返された場合を図４のタイミング図を参照して具体的に説明する。訪問者により集合玄関機１が操作されて呼出ボタン１２が押下されたら、上記形態と同様に選択された居室親機２に呼出信号が送信され（矢印Ｃ１）、呼出信号を受信した居室親機２では呼出音が鳴動し、所定の呼出時間Ｔ１の間呼出状態を維持する。また、集合玄関機１では、居室親機２の呼出音の鳴動を受けて呼出確認音が鳴動される。
【００３４】
一方、呼出操作により集合玄関機１のカメラ１３が起動し、訪問者の撮像映像が居室親機２に送信され、この映像信号を受信した居室親機２は、親機ＣＰＵ２７の制御でモニタ２１に映像を出画させる。この表示により訪問者を確認した居住者が応答したくない訪問者であると判断したら、終了ボタン２４が押下される（矢印Ｐ１）。この操作で親機ＣＰＵ２７は呼出音停止操作と判断して非鳴動モードに移行する。また、非鳴動モードに移行しても、集合玄関機１は呼出確認音を継続して鳴動させる。ここまでの動作は上記形態と同様である。
【００３５】
そして、この呼出動作継続中の状態で、応答が無いことにより訪問者が再度呼出ボタン１２を押下する（矢印Ｃ２）と、制御機４が所定の呼出時間Ｔ１のカウントをリセットして、所定の呼出時間Ｔ１のカウントを再スタートする。この結果、呼出動作が延長されるが、親機ＣＰＵ２７は、呼出状態が継続している間は、非鳴動モードも継続させる。
但し親機ＣＰＵ２７は、非鳴動モードに移行したら、例えば８０秒等の所定時間Ｔ２のカウントを開始し、所定時間Ｔ２が経過した時点で呼出動作が継続中であれば、集合玄関機１に対して音量変更信号を送信する。この音量変更信号を受信した集合玄関機１は、継続して鳴動している呼出確認音の音量を小さくする。
その後、呼出操作が無く延長された呼出時間Ｔ１が経過したら、呼び出しは終了して待受状態に戻る。そして、この待受状態への移行を受けて非鳴動モードも終了する。
【００３６】
このように、継続して呼び出しが行われることで呼出確認音が長時間鳴り続けても、呼出動作が継続している間は非鳴動モードも維持されるため、呼出状態が長時間続いても、途中から呼出音が鳴動してしまうことが無い。
また、所定の時間Ｔ２が経過した後の呼出確認音は音量が小さくなるため、訪問者に対しては引き続き呼出中であることを認識させることができるし、継続して呼出確認音が鳴動しても近隣住民に対する不快感を軽減できる。
【００３７】
呼出状態が終了した直後に新たな呼び出しが行われた場合は以下の様である。図５はこの場合のタイミング図であり、この図を参照して説明する。但し、ここでは一度非鳴動モードに設定されると、呼び出しが終了しても予め設定された一定時間Ｔ３が経過するまでは、非鳴動モードが維持される設定がなされているとする。
尚、この設定は居室親機２の所定の操作で設定され、この非鳴動モードが継続される一定時間Ｔ３は呼出状態が継続する時間Ｔ１より長い時間（例えば、１８０秒）で設定される。
【００３８】
集合玄関機１の呼出操作により（矢印Ｃ１）、呼出先の居室親機２で呼出音が鳴動し、モニタ２１に来訪者映像が出画され、その後終了ボタン２４の操作を受けて非鳴動モードに移行し（矢印Ｐ１）、呼出音が停止するまでの一連の動作は上記形態と同様であるため、説明を省略する。
【００３９】
この非鳴動モードによる呼び出しの最中に、再度終了ボタン２４が押下される（矢印Ｐ２）と、親機ＣＰＵ２７はモニタ２１に出画されている来訪者映像を消画する。但し、呼出状態は時間Ｔ１が経過するまで継続させる。
こうして、呼出操作してから呼出継続時間Ｔ１が経過すると待受状態に戻るが、非鳴動モードへの移行操作が成されてから一定時間Ｔ３の時間が経過していなければ、待受状態となってもその間に呼び出しを受けても非鳴動モードが継続される。そして、この非鳴動状態は、一定時間Ｔ３が経過した段階で呼出状態にあれば延長され、呼出状態が終了した時点で非鳴動モードも終了する。
よって、待受状態に戻った直後に呼び出しを受けても（矢印Ｃ３）、呼び出しの最初から呼出音は鳴動しない。また、モニタ２１の表示が消画状態にある場合は映像も表示されない。
【００４０】
このように、非鳴動モードは１回の呼出操作で継続される呼出状態の時間より長い一定時間継続し、且つ一定時間が経過しても呼出状態が終了するまで継続されるため、応答したくない訪問者のしつこい呼び出しが行われても、一度非鳴動モードとすれば、一定時間その状態が継続するし、呼び出しの途中から呼出音が鳴動してしまうことも無いため、居住者は安心して訪問者が立ち去るのを待つことができる。
そして、一定時間が経過した後は非鳴動モードは解除されるので解除操作するまで非鳴動モードが継続することは無い。
【００４１】
尚、２回目の終了ボタン２４の操作（矢印Ｃ３）を受けて、映像の消画に加えて呼び出し自体を終了させても良く、この制御により応答したくない呼び出しに対しては完全に無視することができ、居住者のストレスを軽減できる。また、最初の終了ボタン２４の操作で、呼出音の停止と共に映像を消画しても良く、簡易な操作で呼出音に加えて映像も消すことができ、この制御により居住者は全く呼び出しを意識しなくて済む。
【００４２】
ここで、非鳴動モードに移行させた後に通話する場合を図６のタイミング図を参照して説明する。集合玄関機１の呼出操作により（矢印Ｃ１）、呼出先の居室親機２で呼出音が鳴動し、モニタ２１に来訪者映像が出画される動作、その後終了ボタン２４の操作を受けて非鳴動モードに移行し（矢印Ｐ１）、呼出音が停止する動作等の一連の動作は上記形態と同様であるため、説明を省略する。
この非鳴動モード状態において通話ボタン２３が操作されると、親機ＣＰＵ２７が制御機４に対して通話路形成信号を送信する。この通話路形成信号を受けた制御機４は、集合玄関機１と居室親機２の間の通話路を形成して、呼出モードから通話モードに移行する。こうして、居住者はモニタ２１に表示されている来訪者映像を見ながら通話できる。
尚、この通話モードへの移行を受けて、集合玄関機１での呼出確認音の鳴動は終了する。
【００４３】
このように、呼出音停止操作が誤操作であった場合、通話ボタン２３を操作する通常の応答操作を実施すれば通話に移行できるため、利便性が良い。特に、集合住宅においては、誤操作等で呼出動作が終了したら、集合玄関まで赴く以外に応答する手段が無くなるため、呼出音を停止させた状態から通話路を形成できる機能は都合が良い。
【００４４】
尚、上記実施形態は、非鳴動モード状態であることを表示する非鳴動モード表示部２６を設けているが、モニタ２１に非鳴動モード状態を表示させても良く、そうすることで表示部材を削減できる。
また、本発明のインターホンシステムを集合住宅インターホンシステムに適用した場合を説明したが、本発明のインターホンシステムは戸建住宅に設置される所謂ドアホンに対しても容易に適用でき、特に呼び出しが継続された場合に、途中から呼出確認音を小さくする制御は、近隣の住人に対する不快感を軽減できるため、好ましい。
また、非鳴動モードに移行してから所定時間Ｔ２をカウントして、所定時間Ｔ２が経過した時点で呼出動作が継続中であれば、呼出確認音の音量を小さくする制御を実施する構成としているが、非鳴動モードへの移行しなくとも呼出操作が成されてから一定時間Ｔ２ａ（図４に示す）が経過したら自動的に呼出確認音を小さくしても良く、継続して呼出確認音が鳴動しても近隣住民に対する不快感を軽減できる。
【符号の説明】
【００４５】
１・・集合玄関機（インターホン子機）、２・・居室親機（インターホン親機）、１２・・呼出ボタン、１３・・カメラ、２１・・モニタ、２３・・通話ボタン、２４・・終了ボタン（呼出音停止手段）、２６・・非鳴動モード表示部（呼出音停止表示部）、２７・・親機ＣＰＵ（呼出制御部）。
【図１】
2015041983.tif 000003
【図２】
2015041983.tif 000004
【図３】
2015041983.tif 000005
【図４】
2015041983.tif 000006
【図５】
2015041983.tif 000007
【図６】
2015041983.tif 000008